(57)【特許請求の範囲】
【請求項１】
底部の仕切材により第１、第２の空間室に分割され、第２の空間室に複数の固定接点を直線状に植設し、各固定接点の接続用端子を第１の空間室の底面内を通って外方に突出させた上面開放の箱形のケースと、上記第２の空間室内に複数の固定接点の配置方向に沿って移動可能に配され、一端部から上記第１の空間室に突出した支持部および中央部から上記ケースの外方に突出した操作レバーを一体に有する摺動体と、この摺動体の下面に抱持され、上記複数の固定接点間を摺接して短絡する弾性可動接片と、上記摺動体から突出した支持部のばね位置規制用突起を有する側面と上記ケースの一方の短辺の壁部の間に圧縮収容され、上記摺動体を他方の短辺の壁部に押し付けるように上記第１空間室内に配されたコイルばねと、これらを覆うように上記ケース上面に取り付けられた蓋板からなり、この蓋板の上記ケースの第１空間室の上面部に上記コイルばねを外部から挿通可能な長孔を設け、上記ケースの第１の空間室内の一方の短辺の壁部よりも少し内側に上記蓋板から短い切り起こし部を設けて上記コイルばねの端面の上部を上記切り起こし部に当接させると共に、上記摺動体の支持部側面のばね位置規制用突起の上部面が下部面よりも上記ケースの一方の短辺の壁部側に突出した段差のある形状とし、これらの間に上記コイルばね両端の平行な端面を弾接させて、上記コイルばねの中間部が下方の上記ケース底面側に曲がって配された自動復帰式スライドスイッチ。
【請求項２】
摺動体から突出した支持部のばね位置規制用突起の上部を根元より先端にかけてテーパ状とし、摺動体をケース内の他方の短辺の壁部に当接させた状態における支持部のばね位置規制用突起を有する側面の位置からケース中央に向けて、コイルばねを挿通可能な長孔を蓋板に設けた請求項１記載の自動復帰式スライドスイッチ。
【発明の詳細な説明】
【０００１】
【発明の属する技術分野】
本発明は、主として民生用電子機器に使用される自動復帰式スライドスイッチに関するものである。
【０００２】
【従来の技術】
従来のこの種の技術を図５および図６により説明する。
【０００３】
図５は従来の一般的な自動復帰式スライドスイッチの分解斜視図、図６はその断面図である。
【０００４】
同図において、１は成形樹脂からなる上面開放の箱形のケースで、その底部は後述する摺動体３のスライド方向に沿って配設された仕切材１Ａにより上記スライド方向と直交する方向に第１、第２の空間室１Ｂ，１Ｃに分割され、第１の空間室１Ｂにはその長手方向に沿って各々接続端子部２Ａ，２Ｂ，２Ｃを有する複数の固定接点２Ｄ，２Ｅ，２Ｆが直線状に配され、その第１の側壁１Ｄから接続端子部２Ａ，２Ｂ，２Ｃが側方へ突出すると共に、第２の空間室１Ｃは自動復帰用コイルばね６の収容部となっている。
【０００５】
３は成形樹脂からなる摺動体で、上記ケース１の一方の側壁１Ｄと仕切材１Ａにガイドされて直線状の往復運動をすることにより、その下面に保持した弾性可動接片４が上記第１の空間室１Ｂ内の固定接点２Ｄ，２Ｅ，２Ｆ間を摺接して短絡するようにしており、また、摺動体３には操作レバー５が一体に形成されており、この操作レバー５を外部に突出させるためにケース１の第２の空間室１Ｃの側壁１Ｅには切欠部１Ｆが設けられている。
【０００６】
なお、本自動復帰式スライドスイッチを使用セットの配線基板に装着して使用する際の都合により、操作レバー５は上記各固定接点２Ｄ，２Ｅ，２Ｆの接続端子部２Ａ，２Ｂ，２Ｃとは反対方向に突出させた構成としている。
【０００７】
そして、ケース１の第２の空間室１Ｃに収容された自動復帰用のコイルばね６は、ケース１の一方の短辺の壁部１Ｇと操作レバー５の根元部の間に一定の撓みによる反発力をもたせて装着されており、摺動体３をケース１の他方の短辺の壁部１Ｈに常時押し付けており、この状態では弾性可動接片４は固定接点２Ｅ，２Ｆ間を短絡している。
【０００８】
また、７は金属板製の蓋板で、摺動体３およびコイルばね６がケース１から飛び出さないように押さえる役目をしているものであり、この蓋板７にも操作レバー５を突出させるための切欠部７Ａが設けられている。
【０００９】
次に、このように構成された従来の自動復帰式スライドスイッチの動作について説明する。
【００１０】
図６の状態から、操作レバー５に矢印Ａで示す方向に力を加えて摺動体３をコイルばね６の反発力に抗して移動させると、弾性可動接片４は固定接点２Ｅ，２Ｆ間の短絡を断って固定接点２Ｄ，２Ｅ間を短絡し、その信号を接続端子部２Ａ，２Ｂ，２Ｃを介して外部に伝達する。
【００１１】
そして、操作レバー５に加えていた押し力を除くと、摺動体３はコイルばね６の反発力により押し戻されて図６の状態に戻り、弾性可動接片４も再び固定接点２Ｅ，２Ｆ間を短絡する状態となる。
【００１２】
【発明が解決しようとする課題】
しかしながら上記従来の構成の自動復帰式スライドスイッチでは、同スイッチの組立作業において、箱形のケース１の中に復帰用のコイルばね６および弾性可動接片４を保持した摺動体３を収容した状態で蓋板７を取り付けて組み立てるものであるが、コイルばね６はスイッチ完成状態で一定の反発力を持たせなければならないため、その長さを自由長から一定の寸法まで縮めながら装着する必要があり、また摺動体３にはその下部に保持した弾性可動接片４の弾力により上方へ押し上げようとする力が働いている。
【００１３】
従って、これらの力によって飛び出そうとする上記各部品を押さえ付けながら蓋板７を取り付けることは極めて困難であり、同スイッチの組立作業を自動化することが難しいという課題があった。
【００１４】
また、一般にこの種のスイッチにおいては、自動復帰用のコイルばね６は、巻き数を多くした方がばね材に対する応力が小さくなり寿命も長くなるが、コイルばね６の巻き数を多くすると圧縮時の密着高さが大きくなる。すなわち、コイルばね６を収容する摺動体３の操作レバー５側方の部分を長くする必要があるが、そのためには操作レバー５を摺動体３の端部、すなわちケース１の端部へ寄せる必要があり、スイッチの使用時に不利になるという課題もあった。
【００１５】
さらに、このコイルばね６は、その巻き数に比べて長さ寸法が大きいので、コイルばね６を押し縮める際にその中間部が曲がって側方に膨らみ、ケース１および蓋板７の切欠部１Ｆおよび７Ａの端部に当たって、操作レバー５の操作時にヒッカカリ感を生じることがあった。
【００１６】
本発明はこのような従来の課題を解決しようとするものであり、組み立てが簡単で自動組立も可能であると共に、操作レバーをスイッチの中央に配することができ、しかもコイルばねの巻き数を多くしても操作レバーの操作時にヒッカカリ感を生じることがない自動復帰式スライドスイッチを提供することを目的とするものである。
【００１７】
【課題を解決するための手段】
本発明は上記課題を解決するために、箱形のケースの開放部を覆う蓋板にコイルばねを外部から挿通可能な長孔を設けておき、スイッチの組立作業において、箱形のケースの中に弾性可動接片を保持した摺動体のみを容れて蓋板を取り付け、その後に自動復帰用のコイルばねをケース内に挿入すると共に、コイルばねの中間部が下方のケース底面側に曲がるように配された構成としたものである。
【００１８】
この本発明により、スイッチの組立作業において最も取り扱いの厄介なコイルばねを容易にケース内に組み込むことができ、生産性を大きく向上させることができると共に、操作感の良好なものにすることができるものである。
【００１９】
【発明の実施の形態】
本発明の請求項１に記載の発明は、底部の仕切材により第１、第２の空間室に分割され、第２の空間室に複数の固定接点を直線状に植設し、各固定接点の接続用端子を第１の空間室の底面内を通って外方に突出させた上面開放の箱形のケースと、上記第２の空間室内に複数の固定接点の配置方向に沿って移動可能に配され、一端部から上記第１の空間室に突出した支持部および中央部から上記ケースの外方に突出した操作レバーを一体に有する摺動体と、この摺動体の下面に抱持され、上記複数の固定接点間を摺接して短絡する弾性可動接片と、上記摺動体から突出した支持部のばね位置規制用突起を有する側面と上記ケースの一方の短辺の壁部の間に圧縮収容され、上記摺動体を他方の短辺の壁部に押し付けるように上記第１空間室内に配されたコイルばねと、これらを覆うように上記ケース上面に取り付けられた蓋板からなり、この蓋板の上記ケースの第１空間室の上面部に上記コイルばねを外部から挿通可能な長孔を設け、上記ケースの第１の空間室内の一方の短辺の壁部よりも少し内側に上記蓋板から短い切り起こし部を設けて上記コイルばねの端面の上部を上記切り起こし部に当接させると共に、上記摺動体の支持部側面のばね位置規制用突起の上部面が下部面よりも上記ケースの一方の短辺の壁部側に突出した段差のある形状とし、これらの間に上記コイルばね両端の平行な端面を弾接させて、上記コイルばねの中間部が下方の上記ケース底面側に曲がって配された自動復帰式スライドスイッチとしたものであり、スイッチの組立作業において、箱形のケースの中に弾性可動接片を保持した摺動体のみを容れて蓋板を取り付け、その後に自動復帰用のコイルばねをケース内に挿入できるという作用、および摺動体のコイルばね保持部と操作レバーを別々に配することにより操作レバーをスイッチケースの中央に配することができるという作用を有する。
さらに、コイルばね両端の互いに平行な端面間の上方側が下方側よりも多く圧縮されるので、コイルばね全体の形状として中間部が下方のケース底面側に曲がる形になって、スライドスイッチの操作時にコイルばねが長孔の周囲等に当たってヒッカカリ感を生じることがないという作用を有する。
【００２０】
請求項２に記載の発明は、請求項１記載の発明において、摺動体から突出した支持部のばね位置規制用突起の上部を根元より先端にかけてテーパ状とし、摺動体をケース内の他方の短辺の壁部に当接させた状態における支持部のばね位置規制用突起を有する側面の位置からケース中央に向けて、コイルばねを挿通可能な長孔を蓋板に設けるようにしたものであり、長孔の大きさを小さくできると共に、スイッチの組立作業において、弾性可動接片を保持した摺動体を収容したケースに蓋板を取り付けた後にコイルばねを挿入装着する際に、コイルばねを押し縮める寸法が最も少ない状態でスムーズに挿入装着できるという作用を有する。
【００２２】
以下、本発明の実施の形態について、図１〜図４を用いて説明する。
なお、本実施の形態において、前記の従来例と同じ構成の部分については同じ符号を付してその説明を省略する。
【００２３】
（実施の形態１）
図１は本発明の第１の実施の形態による自動復帰式スライドスイッチの分解斜視図、図２は同一部切欠平面図である。
【００２４】
同図において、１１は成形樹脂からなる上面開放の箱形のケースで、その底部は後述する摺動体１３のスライド方向に沿って配設された仕切材１１Ａにより上記スライド方向と直交する方向に第１、第２の空間室１１Ｂ，１１Ｃに分割され、第２の空間室１１Ｃにはその長手方向に沿って各々接続端子部１２Ａ，１２Ｂ，１２Ｃを有する複数の固定接点１２Ｄ，１２Ｅ，１２Ｆ（図示せず）が直線状に配されていることは従来例と同様であるが、接続端子部１２Ａ，１２Ｂ，１２Ｃは第１の空間室１１Ｂの底面を通って第１の側壁１１Ｄから側方へ突出した構成としている。
【００２５】
そして、成形樹脂からなる摺動体１３が、上記箱形のケース１１の第２の側壁１１Ｅと仕切材１１Ａにガイドされて直線状に往復運動することにより、その下面に保持した弾性可動接片４が第２の空間室１１Ｃ内の固定接点１２Ｄ，１２Ｅ，１２Ｆ（図示せず）間を摺接して短絡することは従来例と同様である。
【００２６】
また、摺動体１３の中央には操作レバー１４が一体形成され、ケース１１の第２の側壁１１Ｅの中央の切欠部１１Ｆから外方に突出するように構成されており、操作レバー１４と接続端子部１２Ａ，１２Ｂ，１２Ｃは従来例と同様にケース１１の反対側の側面にそれぞれ突出するように構成されている。
【００２７】
そして、ケース１１の第１の空間室１１Ｂには自動復帰用のコイルばね６が収容され、このコイルばね６は上記摺動体１３の一端部から第１の空間室１１Ｂ内に突出した支持部１３Ａの側面とケース１１の一方の短辺の壁部１１Ｇの間に一定の撓みによる反発力を持たせて保持されており、摺動体１３をケース１１の他方の短辺の壁部１１Ｈに常時押し付けていることも従来例と同様であるが、摺動体１３から突出した支持部１３Ａの側面にはコイルばね６の位置規制用突起１３Ｂが設けられている。
【００２８】
この位置規制用突起１３Ｂは円柱状の上部を根元から先端にかけてテーパ状としたものであり、コイルばね６の円形端面６Ａの中にはまりこんで位置規制をするものである。
【００２９】
さらに、金属板製の蓋板１５が、摺動体１３およびコイルばね６がケース１１から飛び出さないように上方から押さえていることも従来例と同様であるが、この蓋板１５のケース１１の第１の空間室１１Ｂの上面部には、上記コイルばね６を外部から挿通可能にするための長孔１５Ａがあけられており、この長孔１５Ａの位置は、摺動体１３をケース１１内の他方の短辺の壁部１１Ｈに当接させた状態で、上記支持部１３Ａのばね位置規制用突起１３Ｂを有する側面と一致する位置からケース１１の中央に向けて設けられている。
【００３０】
以上のように構成された本実施の形態による自動復帰式スライドスイッチの動作は前記の従来例と同じであるので、その説明を省略する。
【００３１】
次に、本実施の形態による自動復帰式スライドスイッチの組立方法について説明する。
【００３２】
まず、底面に固定接点１２Ｄ，１２Ｅ，１２Ｆ（図示せず）を植設した箱形のケース１１の中に弾性可動接片４を保持した摺動体１３のみを収容した状態で、蓋板１５を取り付ける。
【００３３】
次に、図３（ａ）の断面図に示すように、操作レバー１４を押して摺動体１３をケース１１内の他方の短辺の壁部１１Ｈに当接させた状態において、コイルばね６を蓋板１５の長孔１５Ａから斜め方向にケース１１の第１の空間室１１Ｂ内に挿入していき、最後にその円形端面６Ａを、摺動体１３の支持部１３Ａの側面に設けられた位置規制用突起１３Ｂの上部のテーパに沿って押し込むことにより、図３（ｂ）に示すように、位置規制用突起１３Ｂが円形端面６Ａの中にはまり込んで、自動復帰式スライドスイッチとして完成する。
【００３４】
すなわち、本実施の形態による自動復帰式スライドスイッチでは、ケース１１に蓋板１５を取り付ける際の取り扱いが最も厄介であったコイルばね６を、蓋板１５を取り付けた後にケース１１内に簡単に収容できるようにしたものである。
【００３５】
なお、この蓋板１５の長孔１５Ａの周囲のうち、少なくとも中央側の下面と端部側の上面を面取り加工しておくことにより、コイルばね６のケース１１内への挿入はよりスムーズに行えるものである。
【００３６】
（実施の形態２）
図４は本発明の第２の実施の形態による自動復帰式スライドスイッチの断面図である。
【００３７】
本実施の形態は、上記第１の実施の形態で説明した構成において、ケース１１の一方の短辺の壁部１１Ｇよりも少し内側に蓋板１６から短い切り起こし部１６Ｂを設けてコイルばね６の端面の上部を当接させると共に、摺動体１７の支持部１７Ａ側面のばね位置規制用突起１７Ｂの上部面１７Ｃが下部面１７Ｄよりも突出した段差のある形状とし、これらの間にコイルばね６の両端の平行な端面を弾接させることにより、コイルばね６両端の平行な端面の上方側が下方側よりも多く圧縮されて、コイルばね６全体として中間部６Ｂが下方に曲がるようにするものである。
【００３８】
これにより、本自動復帰式スライドスイッチの操作時、操作レバーを押してコイルばね６を押し縮める際に、コイルばね６の中間部６Ｂが蓋板の長孔１６Ａの周囲等に当たってヒッカカリ感を生じることがないものである。
【００３９】
【発明の効果】
以上のように本発明によれば、自動復帰式スライドスイッチにおいて、自動復帰用のコイルばねだけを後からケース内に挿入できるので組み立てが容易で自動組立も可能であると共に、操作レバーをスイッチの中央に配することができて使用時に有利であり、さらにコイルばねの巻き数を多くしても操作時にヒッカカリ感を生じることがないので操作感が良好であるという有利な効果が得られる。
【図面の簡単な説明】
【図１】本発明の第１の実施の形態による自動復帰式スライドスイッチの分解斜視図
【図２】同一部切欠平面図
【図３】（ａ）同組立方法を説明する断面図
（ｂ）同完成品の断面図
【図４】本発明の第２の実施の形態による自動復帰式スライドスイッチの断面図
【図５】従来の自動復帰式スライドスイッチの分解斜視図
【図６】同断面図
【符号の説明】
４  弾性可動接片
６  コイルばね
６Ａ  円形端面
６Ｂ  中間部
１１  ケース
１１Ａ  仕切材
１１Ｂ  第１の空間室
１１Ｃ  第２の空間室
１１Ｄ  第１の側壁
１１Ｅ  第２の側壁
１１Ｆ  切欠部
１１Ｇ，１１Ｈ  短辺の壁部
１２Ａ，１２Ｂ，１２Ｃ  接続端子部
１２Ｄ，１２Ｅ，１２Ｆ  固定接点
１３，１７  摺動体
１３Ａ，１７Ａ  支持部
１３Ｂ，１７Ｂ  位置規制用突起
１４，１８  操作レバー
１５，１６  蓋板
１５Ａ，１６Ａ  長孔
１６Ｂ  切り起こし部
１７Ｃ  上部面
１７Ｄ  下部面
【図１】
0003858303.tif 000002
【図２】
0003858303.tif 000003
【図３】
0003858303.tif 000004
【図４】
0003858303.tif 000005
【図５】
0003858303.tif 000006
【図６】
0003858303.tif 000007